(57)【特許請求の範囲】
【請求項１】
建築物のコンクリート躯体壁（Ｗ）に貫通して設けられ、この躯体壁（Ｗ）を隔てて配設されるダクト（Ｄ）を連通接続するための建築用スリーブであって、  前記コンクリート躯体壁（Ｗ）に一体に埋設されて両開口端面が該コンクリート躯体壁（Ｗ）の両壁面にそれぞれ開口する中空円筒状の亜鉛鉄板製固定スリーブ（１）と、この固定スリーブ（１）の内周面に抜差可能に嵌挿され外端にダクト（Ｄ）が接続可能な亜鉛鉄板製可動スリーブ（２）とよりなり、
前記固定スリーブ（１）には、該固定スリーブ（１）内周面より径方向内方側に突出するストッパボルト（６）と、該固定スリーブ（１）の少なくとも一端部外周より径方向外方側にそれぞれ突出して周方向に互いに間隔をおいて並び且つ各々の取付面（３3 ）が前記コンクリート躯体壁（Ｗ）の壁面と略面一である複数の取付部材（３）とが固着され、  一方、前記可動スリーブ（２）には、外端が該可動スリーブ（２）の端部に開口していて前記ストッパボルト（６）に係合可能なかぎ孔状の係合スリット（８）と、前記複数の取付部材（３）の前記取付面（３3 ）に個別に取付けられる複数のブラケット（７）とが設けられ、
前記係合スリット（８）は、前記可動スリーブ（２）の前記端部を前記固定スリーブ（１）の内周面に嵌挿して一方に回動することにより前記ストッパボルト（６）と係止可能であり、その係止によって前記可動スリーブ（２）が前記固定スリーブ（１）に係止された状態で、前記複数の取付部材（３）と前記複数のブラケット（７）との位置が相互に一致していることを特徴とする、建築用スリーブ。
【請求項２】
前記固定スリーブ（１）の前記一端部の外周面には、前記取付部材（３）と周方向に位相をずらして止片（４）が設けられており、該止片（４）を介して前記固定スリーブ（１）を、前記コンクリート躯体壁（Ｗ）の形成前においてコンクリート躯体壁（Ｗ）形成用の型枠（Ｆ）に固定支持可能であることを特徴とする、請求項１に記載の建築用スリーブ。
【請求項３】
前記請求項１又は２に記載の建築用スリーブ（Ｓ）をコンクリート躯体壁（Ｗ）に固定する方法であって、
前記固定スリーブ（１）の一端部を前記型枠（Ｆ）の一方の型パネル（Ｐ1 ）の適所に片持状に固定支持し、
次いでその固定スリーブ（１）の自由端に、前記型枠（Ｆ）の他方の型パネル（Ｐ2 ）を当てがい、その両パネル（Ｐ1 ，Ｐ2 ）を固定した後、それらパネル（Ｐ1 ，Ｐ2 ）間にコンクリートを打設して、前記コンクリート躯体壁（Ｗ）を形成すると共に、該躯体壁（Ｗ）に前記固定スリーブ（１）を埋設固定し、
その後、前記両型パネル（Ｐ1 ，Ｐ2 ）を前記コンクリート躯体壁（Ｗ）から外し、
次に前記係合スリット（８）を前記ストッパボルト（６）に係合させつつ前記可動スリーブ（２）の一端部を前記固定スリーブ（１）の内周面に嵌挿した後、この可動スリーブ（２）を一方に回動することで、該係合スリット（８）を該ストッパボルト（６）に係止させて該可動スリーブ（２）を該固定スリーブ（１）に係止させ、
その係止状態で前記ブラケット（７）を前記取付部材（３）に取付けることで前記可動スリーブ（２）を前記固定スリーブ（１）に固定することを特徴とする、建築用スリーブのコンクリート躯体壁への固定方法。
【発明の詳細な説明】
【０００１】
【産業上の利用分野】
本発明は、建築物の骨格を構成するコンクリート躯体壁に貫通して設けられ、該躯体壁を隔てて配設されるダクトを連通接続するための建築用スリーブ及びそれのコンクリート躯体壁への固定方法に関するものである。
【０００２】
【従来の技術】
一般に建築物は、その骨格を構成するコンクリート躯体の、床スラブ、区画壁、梁等の躯体壁に、ダクト接続用のスリーブを貫通固定し、このスリーブにより前記躯体壁を隔てて配設される、空調、排煙用等のダクトを連通接続することが行なわれる。
【０００３】
ところで図６に示すように、従来の建築用スリーブＳ′は、スリーブ本体０１をコンクリート躯体壁Ｗ′に貫通固定し、このスリーブ本体０１に、環状の空隙Ｃをあけて接続短管０２を挿通し、この接続短管０２の一側外周に溶接した、接続フランジ０３を、コンクリートの打設により予め埋め込まれているアンカーボルト０４にナット０５をもって連結して、その接続短管０２をコンクリート躯体壁Ｗ′に固定し、その後前記間隙Ｃにモルタル等の充填材０６を充填し、このスリーブＳ′によりコンクリート躯体壁Ｗ′を隔てて配設されるダクトＤ′，Ｄ″を接続するようにしている。
【０００４】
【発明が解決しようとする課題】
ところで前記従来の建築用スリーブをコンクリート躯体壁に固着するにあたっては、複数のアンカーボルトを、そのネジ部をコンクリート躯体壁の壁面より突出させてコンクリート中に埋め込む必要がある。
【０００５】
ところで一般にコンクリート躯体壁は、図６に鎖線で示すように、枠組み後の、型枠Ｆ′にコンクリートを打設することにより形成されるので、前述のようにアンカーボルト０４をコンクリート躯体壁Ｗ′に埋め込むには、そのアンカーボルト０４を型枠Ｆ′に予め取付けておくことが必要となり、型枠Ｆ′自体が作り難くなるばかりでなくその枠組み作業も面倒であり、さらにスリーブ本体０１と接続短管０２との間に充填材０６を充填する作業も厄介であり、全体として建築用スリーブの施工コストが大幅に嵩むという課題がある。
【０００６】
本発明はかかる事情に鑑みてなされたもので、複数のアンカーボルトのコンクリート躯体壁への埋設作業および充填材の充填作業を行なうことなく、建築用スリーブの、コンクリート躯体壁への施工を行なうことができ、その施工コストの大幅な低減を図るようにした、新規な建築用スリーブ及びそれのコンクリート躯体壁への固定方法を提供することを目的とするものである。
【０００７】
【課題を解決するための手段】
前記目的達成のため、請求項１の発明は、建築物のコンクリート躯体壁に貫通して設けられ、この躯体壁を隔てて配設されるダクトを連通接続するための建築用スリーブであって、前記コンクリート躯体壁に一体に埋設されて両開口端面が該コンクリート躯体壁の両壁面にそれぞれ開口する中空円筒状の亜鉛鉄板製固定スリーブと、この固定スリーブの内周面に抜差可能に嵌挿され外端にダクトが接続可能な亜鉛鉄板製可動スリーブとよりなり、前記固定スリーブには、該固定スリーブ内周面より径方向内方側に突出するストッパボルトと、該固定スリーブの少なくとも一端部外周より径方向外方側にそれぞれ突出して周方向に互いに間隔をおいて並び且つ各々の取付面が前記コンクリート躯体壁の壁面と略面一である複数の取付部材とが固着され、一方、前記可動スリーブには、外端が該可動スリーブの端部に開口していて前記ストッパボルトに係合可能なかぎ孔状の係合スリットと、前記複数の取付部材の前記取付面に個別に取付けられる複数のブラケットとが設けられ、前記係合スリットが、前記可動スリーブの前記端部を前記固定スリーブの内周面に嵌挿して一方に回動することにより前記ストッパボルトと係止可能であり、その係止によって前記可動スリーブが前記固定スリーブに係止された状態で、前記複数の取付部材と前記複数のブラケットとの位置が相互に一致していることを特徴とし、また請求項２の発明は、請求項１の前記特徴に加えて、前記固定スリーブの前記一端部の外周面には、前記取付部材と周方向に位相をずらして止片が設けられており、該止片を介して前記固定スリーブを、前記コンクリート躯体壁の形成前においてコンクリート躯体壁形成用の型枠に固定支持可能であることを特徴とする。
【０００８】
また前記目的達成のため、請求項３の発明は、前記請求項１又は２に記載の建築用スリーブをコンクリート躯体壁に固定する方法であって、前記固定スリーブの一端部を前記型枠の一方の型パネルの適所に片持状に固定支持し、次いでその固定スリーブの自由端に、前記型枠の他方の型パネルを当てがい、その両パネルを固定した後、それらパネル間にコンクリートを打設して、前記コンクリート躯体壁を形成すると共に、該躯体壁に前記固定スリーブを埋設固定し、その後、前記両型パネルを前記コンクリート躯体壁から外し、次に前記係合スリットを前記ストッパボルトに係合させつつ前記可動スリーブの一端部を前記固定スリーブの内周面に嵌挿した後、この可動スリーブを一方に回動することで、該係合スリットを該ストッパボルトに係止させて該可動スリーブを該固定スリーブに係止させ、その係止状態で前記ブラケットを前記複数の取付部材に取付けることで前記可動スリーブを前記固定スリーブに固定することを特徴とする。
【０００９】
【作  用】
各請求項の上記構成によれば、スリーブは、コンクリート躯体壁に一体に埋設されて両開口端面が該コンクリート躯体壁の両壁面にそれぞれ開口する中空円筒状の固定スリーブと、この固定スリーブの内周面に抜差可能に嵌挿され外端にダクトが接続可能な可動スリーブとより構成され、固定スリーブには、それの少なくとも一端部外周より径方向外方側にそれぞれ突出して周方向に互いに間隔をおいて並び且つ各々の取付面がコンクリート躯体壁の壁面と略面一である複数の取付部材が固着され、一方、可動スリーブには、前記複数の取付部材の取付面に個別に取付けられる複数のブラケットが設けられるので、従来のアンカーボルトが不要になり、コンクリート躯体壁を形成するための型枠の構造が簡単になり、かつその枠組みが容易になる。またスリーブ本体と接続短管との間に充填材を充填する作業もしないで済む。
【００１０】
また亜鉛鉄板製の固定スリーブには、該固定スリーブ内周面より径方向内方側に突出するストッパボルトが固着され、一方、亜鉛鉄板製の可動スリーブには、外端が該可動スリーブの端部に開口していてストッパボルトに係合可能なかぎ孔状の係合スリットが設けられ、その係合スリットは、可動スリーブの前記端部を固定スリーブの内周面に嵌挿して一方に回動することにより、該ストッパボルトと係止（即ち可動スリーブを固定スリーブに係止）可能であり、その係止により可動スリーブが固定スリーブに係止された状態で、固定スリーブ側の複数の取付部材と、可動スリーブ側の複数のブラケットとの位置を相互に一致させることができ、その状態で複数の取付部材に複数のブラケットがそれぞれ取付けられる。
【００１１】
また特に請求項２の上記構成によれば、固定スリーブの一端部外周面に取付部材と周方向に位相をずらして設けた止片を介して固定スリーブが、コンクリート躯体壁の形成前においてコンクリート躯体壁形成用の型枠に固定支持可能である。
【００１２】
【実施例】
以下、図１〜４を参照して本発明の第１実施例について説明する。
【００１３】
図１は、本発明スリーブの斜視図、図２は、前記スリーブをコンクリート躯体に埋設した状態の図１の２−２線に沿う断面図、図３，４は、前記スリーブによる、２本のダクトの接続過程を示す説明図である。
【００１４】
先ずスリーブＳの構造について説明すると、このスリーブＳは、両端開放の中空円筒状に形成される、亜鉛鉄板製の固定スリーブ１と、これに抜差自在に嵌挿される、同じく亜鉛鉄板製の可動スリーブ２とより構成されている。
【００１５】
固定スリーブ１は、中空円筒状に形成されていて、その両端部外周面には、周方向に等間隔を存してそれぞれ４個の取付部材３…が放射状に外向きに一体に固着されており、これらの取付部材３…は、固定スリーブ１の放射方向外方にのびて、それらの取付面３3 が、固定スリーブ１の外端面と略面一とされている。各取付部材３は、断面Ｌ字状の取付片３1 の起立部に長ナット３2 が溶接されており、この長ナット３2 は固定スリーブ１の軸方向に延びていて、その雌ネジの一端は、取付面３3 に開口されている。そして４個の取付部材３…には、後述するように可動スリーブ２が、取付ボルト９…をもって着脱自在に取付けられる。またこの固定スリーブ１の一方の端部（図１，２左端部）の外周面には、前記取付部材３…と周方向に位相をずらして略等間隔を存して４個の止片４…が放射状に外向きに溶接されており、この固定スリーブ１は、後述するように、それらの止片４…を介して型枠Ｆを構成する一方の型パネルＰ1 に止め釘５により片持状に固定支持されるようになっている。また固定スリーブ１には、前記取付部材３…および止片４…よりも内方で該固定スリーブ１の内周面よりその径方向内方側に各々突出する４個のストッパボルト６…が固着される。
【００１６】
一方、前記可動スリーブ２は、前記固定スリーブ１よりも若干小径の中空円筒状に形成されており、その少なくとも一端部は、前記固定スリーブ１の端部内周面に嵌挿される外径寸法を有している。またこの可動スリーブ２の両端面よりも内方の外周面には環状のストッパリブ２1 が一体に膨出形成されており、このストッパリブ２1 は、可動スリーブ２自体を補強すると共にこの可動スリーブ２を、固定スリーブ１に嵌挿した際のストッパとして機能する。また可動スリーブ２の一方の端部外周には前記取付部材３…に対応して断面Ｌ字状に形成される、４個のブラケット７…が溶接されており、これらのブラケット７…の径方向の起立部には、それぞれボルト孔７1 …が穿設されている。そしてこれらのボルト孔７1 …に挿通される取付ボルト９…を前記取付部材３の長ナット３2 に螺合することによりこの可動スリーブ２を、固定スリーブ１に固定することができる。また可動スリーブ２の、一方の端部には、前記４個のストッパボルト６…に対応して、外端が開口するとともに内端にかぎ部８1 を有するかぎ孔状の係合スリット８…が形成されており、これらの係合スリット８…は、前記ストッパボルト６…と抜差自在に係合できるようになっている。
【００１７】
次に図３，４を参照して固定および可動スリーブ１，２よりなる、スリーブＳを建築物の鉛直なコンクリート躯体壁Ｗに貫通して設け、これにダクトＤを連通接続する過程について説明する。
【００１８】
(1)  図３に示すように、固定スリーブ１は、枠組みされる型枠Ｆの一方の型パネルＰ1 の適所に前記複数の止め片４…を止め釘５…により釘止めすることにより、片持状に固定支持される。次にその固定スリーブの自由端に、枠組みされる他方の型パネルＰ2 を当てがい、それら両パネルＰ1 ，Ｐ2 を固定した後、それらの間にコンクリートを打設する。 (2)  打設コンクリートの凝固により左右の型パネルＰ1 ，Ｐ2 間には、コンクリート躯体壁Ｗが形成される。
【００１９】
その後、型枠Ｆの解体に伴い図４に示すように、左右の型パネルＰ1 ，Ｐ2 がコンクリート躯体壁Ｗから外され、そのコンクリート躯体壁Ｗには、固定スリーブ１がそこを貫通して埋設固定される。そしてこの固定スリーブ１の両端面は、当然にコンクリート躯体壁Ｗの両壁面と面一であり、またコンクリート躯体壁Ｗ内に埋設される４個の取付部材３…の取付面３3 …もまたその躯体壁Ｗと面一になる（図４参照）。
【００２０】
(3)  次に可動スリーブ２の４つの係合スリット８…を、それぞれ固定スリーブ１の４つのストッパボルト６…に係合させつつ、その可動スリーブ４の一端部を、固定スリーブ１に嵌挿し、そのストッパリブ２1 を、固定スリーブ１の端面に当接した後、この可動スリーブ２を若干一方に回動すれば、係合スリット８…の内端のかぎ部８1 …がそれぞれストッパボルト６…に係合する。これにより可動スリーブ２は、固定スリーブ１に係止される。ここで４つの取付部材３…とブラケット７…とは相互に一致しており、取付ボルト９をボルト孔７1 を通してそれらを長ナット３2 に螺合すれば、図２に示すように、固定スリーブ１に、可動スリーブ２を確りと固定することができる。以上により固定スリーブ１および可動スリーブ２よりなるスリーブＳを、躯体壁Ｗに固定することができる。
【００２１】
また図２に鎖線にて示すように、固定スリーブ１の他端部にも、前記した手順により他の可動スリーブ２を固定することができる。
【００２２】
そして可動スリーブ２の外端には通常の接続手段によりダクトＤが接続固定される。そして必要に応じてこのダクトＤには、防火、防煙用のダンパが設けられる。
【００２３】
次に図５を参照して本発明の第２実施例について説明する。
【００２４】
図５はスリーブをコンクリート躯体壁Ｗに設けた状態の、該スリーブの要部縦断側面図であり、この図において前記第１実施例と同一部材には同一符号を付される。
【００２５】
この第２実施例は、固定スリーブ１の構造が前記第１実施例のものと若干相違しており、すなわちこの固定スリーブ１の外周面の中央部には、フランジ状の防水シール１１が液密に溶接されている。そして防水シール１１は、コンクリート躯体壁Ｗ内に当然に埋設される。コンクリート躯体壁Ｗの一壁面側を伝わって、固定スリーブ１の外周面と、コンクリート躯体壁Ｗとの間に浸漬した雨水等の水は、防水シール１１により遮ぎられて他壁面側に流れ出ることがない。
【００２６】
またこの実施例では、固定スリーブ１の一方の端部側（図５、左端部側）には、ルーバ１２1 を有するフード１２が装着される。すなわちフード１２の差込部１２2 は、固定スリーブ１の一端部内面に嵌挿され、該差込部１２1 に設けた複数のバネ係止片１３は、固定スリーブ１の内面に形成した凹部１５に係合されて、フード１２は、固定スリーブ１に係止される。そしてこのフード１２は外方に牽引することにより取り外すことができる。
以上、本発明の実施例について説明したが、本発明はその実施例に限定されることなく、本発明の範囲内で種々の実施例が可能である。
【００２７】
たとえば前記実施例では、固定スリーブの両端部外周にそれぞれ取付部材を固着しているが、その一端部にだけ取付部材を固着するようにしてもよい。
【００２８】
【発明の効果】
以上のように、各請求項の発明によれば、固定スリーブが、コンクリート躯体壁に埋設固定されることにより、スリーブと躯体壁の貫通孔間に充填材を充填する作業が不要となり、スリーブのコンクリート躯体壁への固定作業を大幅に簡素化でき、またコンクリート躯体壁には、スリーブを固定するためのアンカーボルトが不要であるため、コンクリート躯体壁を形成するための型枠には、そのアンカーボルトを取付ける必要がなくなり、型枠自体のコストを低減するばかりでなくその枠組み作業が容易となり、全体として、スリーブのコンクリート躯体壁への装着コストを大幅に低減することができる。また亜鉛鉄板製の固定スリーブには、該固定スリーブ内周面より径方向内方側に突出するストッパボルトが固着され、一方、亜鉛鉄板製の可動スリーブには、外端が該可動スリーブの端部に開口していてストッパボルトに係合可能なかぎ孔状の係合スリットが設けられるので、その係合スリットは、可動スリーブの前記端部を固定スリーブの内周面に嵌挿して一方に回動することにより、該ストッパボルトと係止（即ち可動スリーブを固定スリーブに係止）可能であり、その係止により可動スリーブが固定スリーブに係止された状態で、固定スリーブ側の複数の取付部材と、可動スリーブ側の複数のブラケットとの位置を相互に一致させることができ、その状態で複数の取付部材に複数のブラケットがそれぞれ取付けられる。
【００２９】
また特に請求項２の発明によれば、固定スリーブの一端部外周面に、前記取付部材と周方向に位相をずらして止片を設け、その止片を介して固定スリーブが、コンクリート躯体壁の形成前においてコンクリート躯体壁形成用の型枠に固定支持可能である。
【００３０】
また特に請求項３の発明によれば、固定スリーブの一端部を型枠の一方の型パネルの適所に片持状に固定支持し、次いでその固定スリーブの自由端に、型枠の他方の型パネルを当てがい、その両パネルを固定した後、それらパネル間にコンクリートを打設して、コンクリート躯体壁を形成すると共に、該躯体壁に固定スリーブを埋設固定し、その後、両型パネルをコンクリート躯体壁から外し、次に係合スリットをストッパボルトに係合させつつ可動スリーブの一端部を固定スリーブの内周面に嵌挿した後、この可動スリーブを一方に回動することで、該係合スリットを該ストッパボルトに係止させて該可動スリーブを該固定スリーブに係止させ、その係止状態で可動スリーブ側の複数のブラケットを固定スリーブ側の複数の取付部材に取付けることで可動スリーブを固定スリーブに固定することができる。
【図面の簡単な説明】
【図１】  スリーブの斜視図
【図２】  スリーブをコンクリート躯体壁に埋設した状態の、図１の２−２線に沿う断面図
【図３】  スリーブによる２本のダクトの接続過程を示す作用図
【図４】  スリーブによる２本のダクトの接続過程を示す作用図
【図５】  本発明の第２実施例における、図２と同じ断面図
【図６】  従来のスリーブによるダクトの接続状態を示す断面図
【符号の説明】
１・・・・固定スリーブ
２・・・・可動スリーブ
３・・・・取付部材
３1 ・・・取付片
３2 ・・・ナット（長ナット）
３3 ・・・取付面
４・・・・止片
６・・・・ストッパボルト
７・・・・ブラケット
８・・・・係合スリット
１１・・・防水シール
Ｄ・・・・ダクト
Ｆ・・・・型枠
Ｐ1 ，Ｐ2 ・・型パネル
Ｗ・・・・コンクリート躯体壁
【図１】
0003645935.tif 000002
【図２】
0003645935.tif 000003
【図３】
0003645935.tif 000004
【図４】
0003645935.tif 000005
【図５】
0003645935.tif 000006
【図６】
0003645935.tif 000007